(57)【要約】    【課題】  撮影が制限されている被写体に対する撮影を確実に制限することができる撮像装置を提供する。    【解決手段】  撮像装置１は、被写体３７の撮影を制限するための被写体近傍通信装置３３との近距離無線通信により、被写体近傍通信装置３３から送信される被写体に関する情報を受信し、該受信された被写体に関する情報を保持する無線タグ２３と、撮影動作を制御するＣＰＵ３とを備える。ＣＰＵ３と無線タグ２３とは有線通信可能に接続され、ＣＰＵ３は、無線タグ２３との有線通信により、無線タグ２３に保持されている被写体に関する情報を取得し、該取得された被写体に関する情報に基づいて撮影動作を制御する。【選択図】      図１
2006295832.tif 000002
【特許請求の範囲】
【請求項１】
外部装置から送信される撮影制限信号を受信する受信手段と、
前記受信手段によって受信した撮影制限信号を記憶する記憶手段と、
前記記憶手段に記憶される前記撮影制限信号に基づいて撮影動作を制限する制御撮影制限手段と
を有することを特徴とする撮像装置。
【請求項２】
撮像装置の電源がオフされず、かつ撮影のための操作が行われずに所定時間が経過すると、前記制御撮影制限手段による撮影動作の制限を解除する制限解除手段を有することを特徴とする請求項１に記載の撮像装置。
【請求項３】
撮影のための操作を行ってから所定時間経過するまでの間に撮像装置の電源がオフされると、前記制御撮影制限手段による撮影動作の制限を解除する制限解除手段を有することを特徴とする請求項１に記載の撮像装置。
【請求項４】
被写体を撮像する撮像手段と、
前記撮像手段によって撮像された被写体画像を記録する記録手段と、
外部装置から送信される複製制限信号を受信する受信手段と、
前記受信手段によって受信した複製制限信号を記憶する記憶手段と、
前記記憶手段に前記複製制限信号が記憶されている場合に、前記撮像手段によって撮像された画像に前記複製制限信号を付加して前記記録手段に記録するように制御する制御手段と
を有することを特徴とする撮像装置。
【請求項５】
被写体を撮像する撮像手段と、
前記撮像手段によって撮像された被写体画像を記録する記録手段と、
外部装置から送信される被写体情報を受信する受信手段と、
前記受信手段によって受信した被写体情報を記憶する記憶手段と、
前記記憶手段に前記被写体情報が記憶されている場合に、前記撮像手段によって撮像された画像に前記被写体情報を付加して前記記録手段に記録するように制御する制御手段と
を有することを特徴とする撮像装置。
【請求項６】
前記受信手段は外部装置から送信される電波を受信可能であって、前記受信手段および前記記録手段は外部装置から送信される電波の電力によって動作可能であることを特徴とする請求項１ないし５のいずれかに記載の撮像装置。
【請求項７】
前記受信手段および前記記録手段は前記撮像装置の電源がオフの場合には、外部装置から送信される電波の電力によって動作するとともに、前記撮像装置の電源がオンである場合には、前記撮像装置の電源によって動作する請求項６に記載の撮像装置。
【請求項８】
外部装置から送信される撮影制限信号を受信する受信手段と、前記受信手段によって受信した撮影制限信号を記憶する記憶手段とを有する撮像装置の制御方法であって、
前記受信手段にて撮影制限信号を受信する受信工程と、
受信した前記撮影制限信号を前記記憶手段に記憶する記憶工程と、
記憶された前記撮影制限信号に基づいて撮影動作を制限する制御撮影制限工程と
を有することを特徴とする撮像装置の制御方法。
【請求項９】
被写体を撮像する撮像手段と、前記撮像手段によって撮像された被写体画像を記録する記録手段と、外部装置から送信される複製制限信号を受信する受信手段と、前記受信手段によって受信した複製制限信号を記憶する記憶手段とを有する撮像装置の制御方法であって、
前記受信手段にて複製制限信号を受信する受信工程と、
受信した複製制限信号を前記記憶手段に記憶する記憶工程と、
前記記憶手段に前記複製制限信号が記憶されている場合に、前記撮像手段によって撮像された画像に前記複製制限信号を付加して前記記録手段に記録する記録工程と
を有する撮像装置の制御方法。
【請求項１０】
被写体を撮像する撮像手段と、前記撮像手段によって撮像された被写体画像を記録する記録手段と、外部装置から送信される被写体情報を受信する受信手段と、前記受信手段によって受信した被写体情報を記憶する記憶手段とを有する撮像装置の制御方法であって、
前記受信手段にて被写体情報を受信する受信工程と、
受信した被写体情報を前記記憶手段に記憶する記憶工程と、
前記記憶手段に前記被写体情報が記憶されている場合に、前記撮像手段によって撮像された画像に前記被写体情報を付加して前記記録手段に記録する記録工程と
を有する撮像装置の制御方法。
【発明の詳細な説明】
【技術分野】
【０００１】
本発明は、撮像装置およびその制御方法に関する。
【背景技術】
【０００２】
従来の撮像装置について図６を参照しながら説明する。図６は従来の撮像装置の構成を示すブロック図である。
【０００３】
撮像装置１は、図６に示すように、装置全体の制御を行うためのＣＰＵ３と、光学系（図示せず）を介して捕らえられた光学像を電気信号に変換するための固体撮像素子５と、固体撮像素子５から出力された電気信号をデジタル画像信号（以下、画像信号という）に変換するＡＤ変換装置６と、ＣＰＵ３に電源を供給するための電源制御手段１５とを備える。
【０００４】
ＡＤ変換装置６から出力された画像信号は、ＣＰＵ３に入力される。ＣＰＵ３は入力された画像信号を必要に応じて一時的にメモリ７に格納し、また入力された画像信号またはメモリ７に格納された画像信号に対して所定の画像処理を施し、この画像処理後の画像信号を着脱可能メモリ９に格納する。
【０００５】
電源制御手段１５は、機器外部電源１７から逆流防止ダイオード１３を介して、または内部電池１９から逆流防止ダイオード１１を介して供給される電源を、装置内の各ブロックに対応する電源に変換し、各電源をそれぞれ対応するブロックに供給するための制御を行う。
【０００６】
近年、近距離無線通信により情報の書き込みおよび読み出しが可能な非接触ＩＣが登場し、非接触ＩＣを、商品などを管理するための無線タグとして用いるなど、様々な非接触ＩＣの利用方法が提案され、また実用化されている。
【０００７】
例えば、無線タグを携帯したユーザが予め設定された特定のエリア内に入ると、無線タグ内に書き込まれた情報を読み取り、この読み取られた情報に基づいてユーザを認識し、カメラにより、ユーザを含むエリア内の撮影を自動的に行うシステムが提案されている（例えば特許文献１を参照）。
【０００８】
また、無線タグを携帯するユーザが所定にエリアに入ると、カメラによりユーザを撮影し、ユーザが携帯する無線タグ内の情報を読み取り、撮影されたユーザ画像とユーザの無線タグ内の情報とを関連付けるシステムが提案されている（例えば特許文献２を参照）。
【特許文献１】特開２００３−１１６１２７号公報
【特許文献２】特開２０００−９９８２７号公報
【発明の開示】
【発明が解決しようとする課題】
【０００９】
ユーザがカメラを用いて撮影を行う場合、ユーザは、撮影する被写体を選択してこの被写体を撮影する。ここで、被写体の中には、撮影が予め禁止されているもの、著作権を有するもの、撮影された画像を第３者への配布することが制限されているものなど、撮影が制限されている被写体がある。一般には、このような撮影が制限されている被写体が許可なく撮影されることを防止するために、例えば、被写体の周囲に撮影禁止の看板を置く、警備員を配置する、手荷物検査などによりカメラの持ち込みを制限するなどの措置が講じられる。
【００１０】
しかしながら、いずれの措置を講じても、撮影が制限されている被写体その撮影を確実に制限することは難しい。
【００１１】
本発明の目的は、撮影が制限されている被写体に対する撮影を確実に制限することができる撮像装置およびその制御方法を提供することにある。
【課題を解決するための手段】
【００１２】
本発明は、上記目的を達成するため、外部装置から送信される撮影制限信号を受信する受信手段と、前記受信手段によって受信した撮影制限信号を記憶する記憶手段と、前記記憶手段に記憶される前記撮影制限信号に基づいて撮影動作を制限する制御撮影制限手段とを有することを特徴とする撮像装置を提供する。
【発明の効果】
【００１３】
本発明によれば、撮影が制限されている被写体に対する撮影を確実に制限することができる。
【発明を実施するための最良の形態】
【００１４】
以下、本発明の実施の形態について図面を参照しながら説明する。
【００１５】
（第１の実施の形態）
図１は本発明の第１の実施の形態に係る撮像装置の構成を示すブロック図、図２は図１の撮像装置１に内蔵されている無線タグ２３の内部構成を示すブロック図、図３は図２の無線タグ２３のメモリ３１のデータ格納構造を示す図である。
【００１６】
撮像装置１は、図１に示すように、装置全体の制御を行うためのＣＰＵ３と、光学系２を介して捕らえられた光学像（例えば被写体３７の光学像）を電気信号に変換するための固体撮像素子５と、固体撮像素子５から出力された電気信号をデジタル画像信号（以下、画像信号という）に変換するＡＤ変換装置６と、ＣＰＵ３および他のブロック（図示せず）に電源を供給するための電源制御手段１５とを備える。
【００１７】
ＣＰＵ３は、撮影開始を指示するための撮影スイッチ（ＳＷ）４が押下されると、ＡＤ変換装置６を介して固体撮像素子５からの信号を画像信号として取り込む。ＣＰＵ３は、取り込まれた画像信号を必要に応じて一時的にメモリ７に格納し、また入力された画像信号またはメモリ７に格納された画像信号に対して所定の画像処理を施し、この画像処理後の画像信号を着脱可能メモリ９に格納する。
【００１８】
電源制御手段１５は、機器外部電源１７から逆流防止ダイオード１３を介して、または内部電池１９から逆流防止ダイオード１１を介して供給される電力を、装置内の各ブロックに対応する電力に変換し、各電力をそれぞれ対応するブロックに供給するための制御を行う。
【００１９】
ここで、本実施の形態の撮像装置１には、非接触ＩＣチップからなる無線タグ２３と、無線タグ２３とその通信相手である被写体近傍通信装置３３との間の通信を仲介するためのアンテナ２５とが内蔵されている。無線タグ２３は、図２に示すように、ドライバ２９と、メモリ３１とを有する。ドライバ２９は、アンテナ２５を介して近傍の外部装置すなわち被写体近傍通信装置３３から送信される電力を受信すると、被写体近傍通信装置３３から送信された情報を受信し、保持するための動作を開始する。具体的には、ドライバ２９は、アンテナ２５を介して受信した情報をメモリ３１へ書き込むための動作を行う。また、ドライバ２９は、ＣＰＵ３と有線通信可能に接続され、ＣＰＵ３からの指示に基づいてメモリ３１からデータを読み出し、ＣＰＵ３へ出力するための制御を行う。この際、ドライバ２９には、スイッチ２１を介して電源制御手段１５から駆動電力が供給される。このスイッチ２１の動作は、ＣＰＵ３により制御される。
【００２０】
被写体近傍通信装置３３は、被写体３７の近傍位置に設置され、無線タグ２３と近距離無線通信により情報の送受信および電力の供給を行う通信装置である。被写体近傍通信装置３３の動作は、被写体近傍通信制御装置３５により制御される。ここで、被写体近傍通信装置３３は、定期的に、無線タグ２３を含む無線タグを起動するための電力および被写体に関する情報を送信する。この被写体に関する情報は、少なくとも被写体に対する撮影許可または撮影禁止を含む情報であり、その情報の内容は、被写体近傍通信制御装置３５により設定される。
【００２１】
上記被写体に関する情報は、被写体３７に対する撮影許可または撮影禁止のみを示す１ｂｉｔのデータとすることができる。例えば、撮影許可を示す情報の場合、値「０」のデータが、撮影禁止を示す情報の場合、値「１」のデータが送信される。
【００２２】
また、上記被写体に関する情報を、少なくとも２ｂｉｔ以上のデータとすることもできる。この場合、被写体３７の撮影を許可する情報とともに、付随情報を送信することができる。例えば、付随情報を、撮影された被写体３７の画像データの複製禁止を設定するなどの複製制限情報とすることができる。そして、無線タグ２３のメモリ３１には、図３に示すように、撮影許可を示す情報とともに、上記付随情報が書き込まれることになる。これにより、撮影した画像データと複製制限情報などの付随情報とを対応付けて着脱メモリ９へ保存することが可能になる。例えば、複製禁止を示す複製制限情報と対応付けられている画像データが格納されている着脱可能メモリ９を他の装置に装着し、着脱可能メモリ９内の複製が禁止された画像データを読み出して他の記憶媒体へ複製する場合、当該画像データにはその複製を禁止する複製制限情報が対応付けられているので、当該画像データを他の記憶媒体へ複製することはできない。
【００２３】
また、複製制限情報として、１世代目の複製は許可するが、２世代目の複製は許可しないような情報とすることも可能である。また、被写体３７の撮影が許可されている場合において、その付随情報を、その撮影場所、被写体名称などの情報とすることもできる。
【００２４】
次に、撮像装置１の動作について図４を参照しながら説明する。図４は図１の撮像装置１の動作の手順を示すフローチャートである。ここで、図４に示すフローチャートの手順は、予め格納されているプログラムに従ってＣＰＵ３により実行される手順である。
【００２５】
被写体近傍通信装置３３は、定期的に、無線タグ２３を含む無線タグを起動するための電力および被写体に関する情報を送信する。ユーザにより撮像装置１が被写体近傍通信装置３３の周辺位置に持ち込まれ、撮像装置１の無線タグ２３が被写体近傍通信装置３３との通信可能エリア内に入る（アンテナ２５が被写体近傍通信装置３３から送出される電波の受信範囲に入る）と、アンテナ２５が被写体近傍通信装置３３から送信された電波を受信し、この電波により電力が発生する。この電力はドライバ２９に供給され、ドライバ２９は、被写体近傍通信装置３３からの被写体に関する情報を受信し、メモリ３１へ書き込む。
【００２６】
このように、無線タグ２３のメモリ３１には、既に少なくとも、撮影許可または撮影禁止を含む被写体に関する情報が保持されているものとして、以下の説明を行う。
【００２７】
ユーザが撮像装置１を用いて被写体３７の撮影を行う際には、電源スイッチが操作され、撮像装置１に電源が投入される。これにより、電源制御手段１５には、機器外部電源１７から逆流防止ダイオード１３を介して、または内部電池１９から逆流防止ダイオード１１を介して電力が供給され、電源制御手段１５は、供給された電力を装置内の各ブロックに対応する電力に変換し、各電力をそれぞれ対応するブロックに供給する。そして、撮像装置１の各ブロックは、初期化を行う。
【００２８】
ユーザが撮影スイッチ４を押下すると、ＣＰＵ３は、図４に示すように撮影開始準備を行う（ステップＳ１００）。ここでは、まずＣＰＵ３が、撮像装置１の状態を撮影許可状態に初期化する。次いで、ＣＰＵ３は、スイッチ２１をオンし、電力制御手段１５からスイッチ２１を介して無線タグ２３に電力を供給する。そして、ＣＰＵ３は、無線タグ２３と有線通信を行い、無線タグ２３のメモリ３１内の情報を、ドライバ２９を介して取得する。スイッチ２１は、無線タグ２３のメモリ３１に保持されている情報の取得後にオフされる。
【００２９】
次いで、ＣＰＵ３は、無線タグ２３のメモリ３１から取得されたデータに撮影禁止を示すデータが含まれているか否かを判定する（ステップＳ１０１）。ここで、メモリ３１から取得された情報に撮影禁止を示す情報が含まれていないすなわち撮影許可を示す情報が含まれている場合、ＣＰＵ３は、撮影動作を制限することなく、撮影動作を開始する（ステップＳ１０２）。この撮影動作においては、固体撮像素子５から出力された信号が、アナログデジタル変換装置６に入力されて画像信号に変換される。そして、この画像信号はＣＰＵ３に入力される。ＣＰＵ３は、入力された画像信号に対して画像処理を施し、この画像信号を画像データとしてメモリ７に一時的に格納する。
【００３０】
次いで、ＣＰＵ３は、無線タグ２３のメモリ３１から取得された情報に複製制限情報が含まれているか否かを判定する（ステップＳ１０３）。ここで、上記取得された情報に複製制限情報が含まれている場合、ＣＰＵ３は、メモリ７に格納されている画像データに対して複製制限情報を付加する（ステップＳ１０４）。そして、ＣＰＵ３は、メモリ３１から取得された情報にその他の付随情報（例えば撮影場所、被写体名称など）が含まれているか否かを判定する（ステップＳ１０５）。ここで、その他の付随情報が含まれていると、ＣＰＵ３は、その他の付随情報をメモリ７に格納されている画像データに付加する（ステップＳ１０６）。
【００３１】
次いで、ＣＰＵ３は、メモリ７に格納されている画像データを所定のフォーマットの画像データに変換し、この所定フォーマットの画像データを着脱可能メモリ９に書き込み（ステップＳ１０７）、本処理を終了する。
【００３２】
上記ステップＳ１０３においてメモリ３１から取得された情報に複製制限情報を示すデータが含まれていないと判定された場合、ＣＰＵ３は、上記ステップＳ１０４をスキップして、上記ステップＳ１０５へ進む。
【００３３】
上記ステップＳ１０５においてメモリ３１から取得された情報にその他の付随情報が含まれていないと判定された場合、ＣＰＵ３は、上記ステップＳ１０６をスキップしてステップＳ１０７へ進む。
【００３４】
上記ステップＳ１０１においてメモリ３１から取得された情報に撮影禁止を示す情報が含まれていると判定された場合、ＣＰＵ３は、撮影禁止を設定し、本処理を終了する。これにより、固体撮像素子５により撮像された画像データを着脱メモリ９へ書き込む動作が禁止されることになる。すなわち、ユーザが撮像装置１を被写体３７に向けて撮影スイッチ４を押下したとしても、被写体３７の画像データは着脱メモリ９へ書き込まれず、ユーザは被写体を撮影することができないことになる。ここで、撮影禁止が設定された場合、ユーザに対して撮影禁止が設定されていることを通知するために、撮影禁止が設定される旨を示すメッセージがモニタまたはファインダ内に表示される。また、これに代えて、ＬＥＤなどの点灯によって、ユーザに撮影禁止が設定されていることを通知するようにしてもよい。
【００３５】
次に、無線タグ２３の動作について説明する。
【００３６】
無線タグ２３は、外部からの送信電力および被写体に関する情報を受信する度に、メモリ３１内の情報を更新する。例えば同じ送信先から同じ情報を受信したとしても、その情報を受信する度に、メモリ３１内の情報の更新が行われる。
【００３７】
ここで、図４に示した撮影シーケンスの終了から装置電源がオフされずかつ撮影スイッチが押下されずに所定期間が経過すると、ＣＰＵ３は、スイッチ２１をオンし、無線タグ２３と有線通信可能な状態にする。そして、ＣＰＵ３は、無線タグ２３にアクセスし、無線タグ２３のメモリ３１内の情報をデフォルトの情報（撮影許可を示す情報のみ）へ書き換える。これにより、無線タグ２３のメモリには、付随情報が含まれない、撮影許可を示す情報のみが保持されることになる。
【００３８】
また、撮影シーケンスの終了から所定期間が経過するまでの間に撮像装置１の電源スイッチがオフされると、上述した同様の手順でＣＰＵ３は、ＣＰＵ３は、無線タグ２３にアクセスし、無線タグ２３のメモリ３１内のデータをデフォルトの情報（撮影許可を示す情報のみ）へ書き換える。この後、装置電源がオフされる。
【００３９】
例えば、撮影シーケンスの終了から所定期間経過した後に、被写体近傍通信装置３３により撮影が制限されていない被写体を撮影する際には、無線タグ２３のメモリ３１に、付随情報を含む撮影許可を示す情報または撮影禁止を示す情報がそのまま保持されていると、メモリ３１内のデータにより当該被写体に対する撮影が制限されることになる。そこで、これを回避するために、本実施の形態においては、撮影シーケンスの終了から装置電源がオフされずかつ撮影スイッチが押下されずに所定期間が経過すると、または撮影シーケンスの終了から所定期間が経過するまでの間に撮像装置１の電源スイッチがオフされると、上記無線タグ２３のメモリ３１内の情報が、デフォルトの情報（撮影許可を示す情報のみ）へ更新される。
【００４０】
無線タグ２３のメモリ３１にデフォルトとしての撮影許可を示す情報が保持されている無線タグ２３が被写体近傍通信装置３３と通信可能エリアに入ると、無線タグ２３は、アンテナ２５を介して、被写体近傍通信装置３３から送信された電力を受信し、被写体近傍通信装置３３から送信された被写体に関する情報の受信を開始する。無線タグ２３は、メモリ３１に保持されている情報を受信した情報に更新する。
【００４１】
撮像装置１へ装置電源が投入された後、ＣＰＵ３は、上述したように、撮影スイッチ４の押下に応じて（撮影準備の開始に応じて）、スイッチ２１をオンし、無線タグ２３に対して電力を供給する。そして、ＣＰＵ３は、無線タグ２３との有線通信により、無線タグ２３のメモリ３１に保持されている情報を取得し、この取得された情報に基づいて撮影動作を制御することになる。無線タグ２３のメモリ３１に保持されている情報の取得後、スイッチ２１はオフされる。
【００４２】
また、ユーザが移動し、撮像装置１が被写体近傍通信装置３３との通信可能エリアから他の被写体近傍通信装置との通信可能エリアへ進入すると、撮像装置１内の無線タグは、他の被写体近傍通信装置からのアクセスに応じて当該他の被写体近傍通信装置と近距離無線通信を行い、無線タグ２３のメモリ３１内の情報が、他の被写体近傍通信装置から受信された情報に更新される。ここで、撮影スイッチ４が押下されると、ＣＰＵ３は、無線タグ２３のメモリ３１内の情報を取得し、取得した情報に応じて、他の被写体近傍通信装置に対応する被写体の撮影許可または撮影禁止を設定する。
【００４３】
このように、本実施の形態によれば、撮影が制限されている被写体３７に対する撮影を確実に制限することができる。例えば、被写体３７の撮影を禁止することができる。また、被写体３７の撮影を許可することもでき、この場合、付随情報を送信することによって、撮影された画像データの複製を禁止するなどの撮影された画像データの複製を制限すること、また、撮影場所、被写体名称などを画像データに付加することなどが可能になる。
【００４４】
本実施の形態においては、１つの被写体３７に対して１つの被写体近傍通信装置３３により被写体３７の撮影を制限する場合を説明したが、例えば美術館など特定のエリア内に展示されている絵画、彫刻などの複数の被写体の撮影を１つの被写体近傍通信装置３３により制限することも可能である。このよう場合、展示エリア全体が１つの被写体近傍通信装置の通信可能エリアに相当するエリアに分割され、各分割されたエリアに１つの被写体近傍通信装置がそれぞれ配置される。これにより、１つの分割されたエリアに対して配置された１つの被写体近傍通信装置により、１つの分割されたエリア内にある複数の被写体の撮影を制限することが可能になる。
【００４５】
（第２の実施の形態）
次に、本発明の第２の実施の形態について図５を参照しながら説明する。図５は本発明の第２の実施の形態に係る撮像装置の構成を示すブロック図である。
【００４６】
本実施の形態は、図５に示すように、上記第１の実施の形態に対して、被写体近傍通信装置として、被写体に関する情報を保持する無線タグ４１を用いる点で異なる。この無線タグ４１は、近距離無線通信により電力を受信すると、該受信された電力により、被写体に関する情報を送信するための動作を行う。無線タグ４１は、被写体３７に取り付けられている。ここで、無線タグ４１が保持する被写体に関する情報は、上記第１の実施の形態と同様に、少なくとも被写体３７に対する撮影許可または撮影禁止を示す情報を含むものである。また、被写体に関する情報は、被写体の撮影を許可する場合の付随情報（複製許可または複製禁止、撮影場所、被写体の名称など）を含むことができる。
【００４７】
また、本実施の形態は、上記第１の実施の形態に対して、撮像装置１内に無線タグに代えて無線リーダ４２が設けられている点で異なる。無線リーダ４２は、アンテナ２５を介して、近距離無線通信により、電力を送信するとともに、上記無線タグ４１から送信された被写体に関する情報を受信し、受信した情報を内部メモリ（図示せず）に保持する。ここで、ＣＰＵ３は、装置電源が投入されると、スイッチ４４をオンし、電源制御手段１５からの駆動電力を無線リーダ４２に供給する。無線リーダ４２は、上記駆動電力を受けて、電力の送信を含む近距離無線通信動作を開始する。無線リーダ４２と無線タグ４１との間で近距離無線通信が確立されると、無線リーダ４２は、無線タグ４１から送信された情報を受信し、内部メモリへ書き込むための動作を行う。
【００４８】
また、スイッチ４４がオンされている状態で、電力が蓄積されるコンデンサ４３が設けられており、このコンデンサ４３は、スイッチ４４がオンされると、電力供給手段１５からの電力により充電される。例えば内部電池１９の残量が低下するなどして、電力消費量を極力抑制する必要がある場合、ＣＰＵ３は、スイッチ４４をオフする。この場合、無線リーダ４２に対する駆動電力は、コンデンサ４３によりバックアップされ、無線リーダ４２は、コンデンサ４３からの駆動電力により、電力の送信を含む近距離無線通信動作を継続する。
【００４９】
無線リーダ４２とＣＰＵ３とは有線通信可能に接続され、ＣＰＵ３は、撮影開始を指示するための撮影スイッチ（ＳＷ）４が押下されると、無線リーダ４２に保持されているデータを取得する。そして、ＣＰＵ３は、無線リーダ４２から取得されたデータに基づいて被写体３７の撮影を許可するか禁止するかを設定する。すなわち、本実施の形態の撮像装置１は、上記第１の実施の形態（図４を参照）と同様の手順で、撮影動作を行う。
【図面の簡単な説明】
【００５０】
【図１】本発明の第１の実施の形態に係る撮像装置の構成を示すブロック図である。
【図２】図１の撮像装置１に内蔵されている無線タグ２３の内部構成を示すブロック図である。
【図３】図２の無線タフ２３のメモリ３１のデータ格納構造を示す図である。
【図４】図１の撮像装置１の動作の手順を示すフローチャートである。
【図５】本発明の第２の実施の形態に係る撮像装置の構成を示すブロック図である。
【図６】従来の撮像装置の構成を示すブロック図である。
【符号の説明】
【００５１】
１  撮像装置
３  ＣＰＵ
４  撮影スイッチ
１５  電源制御手段
２１，４４  スイッチ
２３  無線タグ
３３  被写体近傍通信装置
３５  被写体近傍通信制御装置
３７  被写体
４１  無線タグ
４２  無線リーダ
４３  コンデンサ
【図１】
2006295832.tif 000003
【図２】
2006295832.tif 000004
【図３】
2006295832.tif 000005
【図４】
2006295832.tif 000006
【図５】
2006295832.tif 000007
【図６】
2006295832.tif 000008